(57)【要約】【課題】無線式感知器を充電するためには、設置場所から取り外して充電装置で一定時間充電しなければならない。しかし、火災感知を休止することはできないため、充電している間に火災感知できるように、予備の無線式火災感知器を仮設しておかなければならない。また、無線式火災感知器が通常の天井よりも高い天井に設置されている場合には、交換作業が困難である。【解決手段】無線式の火災感知器を、天井に設置した状態で外部の充電器から電力を取り入れることができるものとする。【選択図】図２
2018106319.tif 000002
【特許請求の範囲】
【請求項１】
充電可能な二次電池と、
外部から電力を取り入れて前記二次電池を充電する充電部と、
を備えた、火災感知器であって、
前記充電部は、前記火災感知器を天井に設置した状態で外部の充電器から電力を取り入れることができる
火災感知器。
【請求項２】
設置された状態において、前記充電器を下部から取り付けることができる取付部を有した
請求項１の火災感知器。
【請求項３】
前記取付部は、側面に設けた凹部である
請求項２の火災感知器。
【請求項４】
火災感知器へ係止し、切離し可能な係止部と、
電池と、
前記電池と電気的に接続され、前記火災感知器に電力を送って二次電池を充電するための送電部と、
を備え、
中央に前記火災感知器が入りうる開口部を有した充電器。
【請求項５】
建物内に設置された火災感知器と、
回転翼を備えたマルチコプターにより形成された充電装置と、
からなり、
前記火災感知器は二次電池と係止部と充電部を有し、
前記充電装置は、電池と係止機構と送電部を有し、
前記充電装置を前記火災感知器の近傍に飛行させ、
前記係止機構を前記係止部に係止することにより前記充電装置を前記火災感知器に接続して、前記送電部から前記充電部へ送電し、前記二次電池を充電する充電システム。
【発明の詳細な説明】
【技術分野】
【０００１】
本発明は、建物の天井に取り付けられる火災感知器、充電器及び充電システムに関するものである。
【背景技術】
【０００２】
従来、自動火災報知設備において、火災受信機と火災感知器を無線によって接続する無線式自動火災報知設備がある。この設備に用いられる火災感知器は電池によって作動しており、電池寿命が近づくと、保守を行う作業者が感知器の交換、もしくは感知器の電池を交換していた。しかしながら、建物内に設けられる火災感知器の数は多く、電池の交換作業が困難であり、電池も使い捨てのため、環境に好ましくないという問題があった。
【０００３】
無線式自動火災報知設備の火災感知器としては、特許文献１のように充電できるものが提案されている。
【先行技術文献】
【特許文献】
【０００４】
【特許文献１】特開平６−１１１１７０号公報
【発明の概要】
【発明が解決しようとする課題】
【０００５】
特許文献１の充電装置は、工事領域に一時的に設置される無線式感知器を充電するために使用される。特許文献１では、工事が完了した後に無線式感知器を取り外し、他の工事に用いるまでの間に充電を行う。特許文献１の技術を、電池寿命が近づいた通常の無線式火災感知器を充電することが考えられる。そのためには、無線式感知器を設置場所から取り外して特許文献１の充電装置で一定時間充電しなければならない。しかし、火災の監視を休止することはできないため、充電している間に火災の監視ができるように、予備の無線式火災感知器を仮設しておかなければならない。そのためには、予備の無線式火災感知器に充電する無線式火災感知器のＩＤコードを設定して取り付けておく必要があった。
また、無線式火災感知器が通常の天井よりも高い天井に設置されている場合には、交換作業が困難であった。
【課題を解決するための手段】
【０００６】
本発明は、上述した課題を解決するためのものであり、以下の構成を有する。
【０００７】
（１）本発明は、充電可能な二次電池と、外部から電力を取り入れて前記二次電池を充電する充電部と、を備えた、火災感知器であって、前記充電部は、前記火災感知器を天井に設置した状態で外部の充電器から電力を取り入れることができる火災感知器である。
【０００８】
本発明によれば、高所等に複数ある火災感知器に外部の充電器から容易に充電することができる。そして、従来のような火災感知器の取り外し、予備の火災感知器の取付け、予備の火災感知器の取り外し、火災感知器の取付けの作業を省略することができる。また、二次電池を使用するため電池の廃棄量を減少させることができ、環境への配慮という面でも有効である。さらに、火災感知器を作動させたまま充電を行うことが可能である。
【０００９】
（２）また、本発明は、設置された状態において、前記充電器を下部から取り付けることができる取付部を有した（１）に記載の火災感知器である。
【００１０】
本発明によれば、作業者は、高所にある火災感知器に充電器を容易に取り付けることができる。さらに、火災感知器の充電の際、充電器を取り付けた状態で充電終了まで放置することができる。
【００１１】
（３）また、本発明は、前記取付部は、側面に設けた凹部である（２）に記載の火災感知器である。
【００１２】
本発明によれば、充電器を前記凹部に係止することで、充電可能な状態で火災感知器と充電器を接続することができる。
【００１３】
（４）また、本発明は、火災感知器へ係止し、切離し可能な係止部と、電池と、前記電池と電気的に接続され、前記火災感知器に電力を送って二次電池を充電するための送電部と、を備え、中央に前記火災感知器が入りうる開口部を有した充電器である。
【００１４】
本発明によれば、高所等に複数ある火災感知器に外部の充電器から容易に充電することができる。そして、火災感知器の取り外し、予備の火災感知器の取付け、予備の火災感知器の取り外し、火災感知器の取付けの作業を省略することができる。また、火災感知器を作動させたまま充電を行うことが可能である。さらに、二次電池を使用するため電池の廃棄量を減少させることができ、環境への配慮という面でも有効である。
【００１５】
（５）また、本発明は、建物内に設置された火災感知器と、回転翼を備えたマルチコプターにより形成された充電装置と、からなり、前記火災感知器は二次電池と係止部と充電部を有し、前記充電装置は、電池と係止機構と送電部を有し、前記充電装置を前記火災感知器の近傍に飛行させ、前記係止機構を前記係止部に係止することにより前記充電装置を前記火災感知器に接続して、前記送電部から前記充電部へ送電し、前記二次電池を充電する充電システムである。
【００１６】
本発明によれば、高所等に複数ある火災感知器に外部の充電装置から容易に充電することができる。そして、従来のような火災感知器の取り外し、予備の火災感知器の取付け、予備の火災感知器の取り外し、火災感知器の取付けの作業を省略することができる。また、二次電池を使用するため電池の廃棄量を減少させることができ、環境への配慮という面でも有効である。さらに、火災感知器を作動させたまま充電を行うことが可能である。
【発明の効果】
【００１７】
本発明によれば、火災感知器を天井等で作動させた状態のまま、容易に充電することができる。
【図面の簡単な説明】
【００１８】
【図１】棹型設置装置により充電器を火災感知器に取り付けている状況を示す図。
【図２】マルチコプター型設置装置により充電器を火災感知器に取り付けている状況を示す図。
【図３】実施例１の接点式充電感知器に接点式充電器を取り付けた状態を示す図。
【図４】実施例１における接点式充電器を取り付けた部分の拡大図。
【図５】実施例２の無接点式充電感知器に無接点式充電器を取り付けた状態を示す図。
【発明を実施するための形態】
【００１９】
無線式の火災感知器の管理者は、建物内の天井に取り付けられた火災感知器の充電可能な二次電池を定期的に充電することにより、火災感知器の電池切れを防ぐ。まず、当発明による充電作業の形態と作業手順を示す。
＜棹型設置装置による充電＞
図１は、棹型設置装置により充電器を火災感知器に取り付けている状況を示す。１は無線式の火災感知器、２は充電器、３は棹型設置装置、３１は充電器スタックケースである。図１では、天井５に３つの火災感知器１が設置されており、左の火災感知器１には充電器２が取り付けられている。棹型設置装置３は、充電器スタックケース３１に複数の充電器２が収容され、棹３２が取り付けられている。火災感知器１と充電器２の内部には、それぞれ二次電池が備えられている。
【００２０】
火災感知器１を充電する際には、天井５に設置された状態の火災感知器１に充電器２を取り付ける。作業者は、棹型設置装置３の棹３２を持って上端の充電器スタックケース３１に積載された充電器２を火災感知器１の位置に合わせる。そして、下から押し当て、充電器２の突出部を突出させて、火災感知器１に取り付ける。火災感知器１は、充電器２から電気を取り入れて充電しているときに充電ランプが点灯する。作業者は、充電ランプの点灯を確認した後、充電器スタックケース３１を充電器２から外し、次の火災感知器１への充電器２の設置へ移る。充電器２が外れた充電器スタックケース３１では、次の充電器２がせり上がり、次の火災感知器１への取付けが可能な状態となる。充電器スタックケース３１の充電器２がなくなったら補充して、充電対象となる全ての火災感知器１に充電器２を取り付ける。
【００２１】
充電が終了すると火災感知器１の充電ランプが消灯する。作業者は、充電ランプの消灯を確認した後に充電器２を取り外す。充電器２の取り外しの際には、作業者は、棹型設置装置３の棹３２を持って充電器スタックケース３１を充電器２の下から押し当てる。充電器２は、突出部が収容されて火災感知器１から外れると共に、充電器スタックケース３１に収容される。この時、充電器スタックケース３１に充電器２がある場合は下方にずれて充電器２が収容される。
【００２２】
このように、棹型設置装置３と充電器２は火災感知器１を充電する充電装置を形成する。上記の実施の形態では、棹型設置装置３に複数の充電器２を収容できる充電器スタックケース３１が取り付けられているが、１台の充電器２だけを収容できる充電器スタックケース３１でもよく、充電器２に取り外し可能な棹３２が取り付けられていてもよい。
【００２３】
＜マルチコプターを用いた充電システム＞
次に、マルチコプター（ドローン）を用いた充電システムを説明する。図２は、マルチコプター型設置装置により充電器を火災感知器に取り付けている状況を示す。図１と同様に、図２では天井５に３つの火災感知器１が設置されており、左の火災感知器１には充電器２が取り付けられている。４はマルチコプター型設置装置である。マルチコプター型設置装置４では、充電器スタックケース４１に接続部４３を介して回転翼４２が取り付けられており、マルチコプター（ドローン）に充電器スタックケース４１が搭載されたものとなっている。そして、充電器スタックケース４１には複数の充電器２が収容されている。図２は、中央の火災感知器１の下方にマルチコプター型設置装置４が飛行している状態である。
【００２４】
定期点検時などに火災感知器１を充電する際には、作業者は、マルチコプター型設置装置４を操作して火災感知器１の近傍を飛行させ、火災感知器１に充電器２を取り付ける。マルチコプター型設置装置４は、位置情報に基づいて火災感知器１の直下に移動し、マルチコプター型設置装置４の充電器スタックケース４１に積載された充電器２を火災感知器１の位置に合わせる。そして、上昇することにより火災感知器１の下から充電器２を押し当てて火災感知器１を充電器２の中央に設けた開口部に収容する。そして、充電器２の突出部を突出させ、火災感知器１に取り付ける。その後、マルチコプター型設置装置４は充電器２を切離して火災感知器１から離れ、次の火災感知器１の位置に移動し、充電器スタックケース４１に積載された新たな充電器２を設置する。マルチコプター型設置装置４が充電器２を設置した際には、作業者は充電中を示す火災感知器１の充電ランプにより充電していることを確認できる。充電器スタックケース４１の充電器２がなくなったら補充して、充電対象となる全ての火災感知器１に充電器を取り付ける。
【００２５】
火災感知器１の充電が終了して全ての火災感知器１の充電ランプが消灯したら、作業者は充電器２を回収する。充電器２の回収の際は、設置の際と同様にマルチコプター型設置装置４を操作し、火災感知器１の直下から充電器スタックケース４１を充電器２へ押し当てると同時に充電器２の突出部を外す。そして、充電器スタックケース４１に充電器２を収容したら火災感知器１から離れ、次の火災感知器１の位置に移動して次の充電器２を回収する。
【００２６】
このように、マルチコプター型設置装置４と充電器２は火災感知器１を充電する充電装置を形成する。上記の実施の形態では、マルチコプター型設置装置４に、複数の充電器２を収容できる充電器スタックケース４１が取り付けられているが、１台の充電器２だけを収容できる充電器スタックケース４１でもよい。また、充電器２がマルチコプター型設置装置４から離れない構造として、マルチコプター型設置装置４ごと火災感知器１に取り付けられた状態で充電する充電装置としてもよい。なお、火災感知器１が設置されている天井が高くない場合には、設置装置を用いずに、作業者が手作業で充電器２を取り付けてもよい。
【実施例１】
【００２７】
次に、充電器２による火災感知器１への充電について実施例を挙げる。
実施例１は、接点式による充電を行う火災感知器と充電器である。図３は、実施例１の接点式充電感知器に接点式充電器を取り付けた状態を示す。図３（ａ）は、側方から見た図であり、図３（ｂ）は、下方から見た図である。図３（ａ）では接点式充電器２１を断面の外枠のみとして、接点式充電感知器１１が見えるように描画している。
【００２８】
＜接点式充電感知器＞
図３（ａ），（ｂ）において、１１は、接点式で充電される火災感知器１である接点式充電感知器、１１１は接点式充電感知器１１の周囲に円環状に設けられた凹部であり、１１２ａは保持端子部、１１２ｂは接点端子部、１１４は充電ランプである。図３（ｂ）に示すように、接点式充電器２１はドーナツ形状であり、接点式充電感知器１１を取り囲む形状をしている。図４は、実施例１における接点式充電器２１を取り付けた部分の拡大図であり、図３（ａ）の部分拡大図である。
【００２９】
凹部１１１は、接点式充電感知器１１における天井５に近い部分の周囲に設けられており、凹部１１１の下面には下段の接点として円環状に保持端子部１１２ａ、上方には上段の接点として円筒状に接点端子部１１２ｂが配置されている。保持端子部１１２ａは、接点式充電感知器１１の凹部１１１における下端の面上に円盤状に設けられており、接点式充電器２１が取り付けられた際の支えとなる支持部１１３であると同時に、一方の充電端子として機能する。接点端子部１１２ｂは、接点式充電感知器１１の凹部１１１の側面上方に円筒状に設けられており、他方の充電端子として機能する。
【００３０】
保持端子部１１２ａ、接点端子部１１２ｂは共に接点式充電感知器１１の周囲を切れ目なく取り囲んでおり、接点式充電器２１の端子が側方のどの向きに接触しても通電できるようになっている。接点式充電感知器１１内には二次電池（図示せず）が内蔵されており、保持端子部１１２ａと接点端子部１１２ｂは、二次電池を充電するための充電回路（図示せず）に接続されている。保持端子部１１２ａ、接点端子部１１２ｂと充電回路は、外部から電力を取り入れて二次電池を充電する充電部を構成する。接点式充電感知器１１の底部の中心付近には、火災を感知するための感知センサー部１１５が配置されている。また、接点式充電感知器１１の下部の中心から外れた部分に、作業者が充電中であることを確認できるように、充電ランプ１１４が配置されている。
【００３１】
＜接点式充電器＞
図３，４において、２１１ａは突出保持端子部、２１１ｂは突出接点端子部、２１２は開口部を示す。接点式充電器２１は、中央の部分に開口部２１２を有したドーナツ形状をしている。開口部２１２の直径は接点式充電感知器１１の直径よりも大きく、接点式充電器２１が取り付けられた際に接点式充電感知器１１を開口部２１２の内部に収容する。そして、接点式充電器２１が取り付けられた状態で接点式充電感知器１１の感知センサー部１１５が火災を感知できる程度に露出するように、接点式充電器２１の厚さが設計されている。
【００３２】
突出保持端子部２１１ａは、接点式充電器２１の開口部２１２の上方内側面に設けられている。突出保持端子部２１１ａは、接点式充電器２１の内部に収納されているが、接点式充電器２１が接点式充電感知器１１に取り付けられた際に開口部２１２の内方に突出して接点式充電感知器１１の凹部１１１の下部にある支持部１１３（保持端子部１１２ａ）の上に係止される。突出保持端子部２１１ａは、取付け時に接点式充電感知器１１を取り囲むように複数個備えられており、接点式充電器２１を保持できる強度を有している。そして、接点式充電器２１を取り外す際には接点式充電器２１の内部に収納されて保持を開放する。凹部１１１、支持部１１３（保持端子部１１２ａ）は接点式充電器２１の取付部を構成する。突出保持端子部２１１ａは、接点式充電器２１を保持すると同時に、接点式充電器２１の内部に設けられた充電器内二次電池（図示せず）に電気的に接続され、接点式充電感知器１１に電力を供給するための送電部として機能する。
【００３３】
また、突出接点端子部２１１ｂは、接点式充電器２１の開口部２１２の上方内側面であって、突出保持端子部２１１ａの上方に、突出保持端子部２１１ａと接触しないように配置されている。突出接点端子部２１１ｂも、接点式充電器２１の内部に収納されており、接点式充電器２１が接点式充電感知器１１に取り付けられた際に開口部２１２の内方に突出して接点式充電感知器１１の接点端子部１１２ｂに接触する。接点式充電器２１を取り外す際には突出接点端子部２１１ｂは接点式充電器２１の内部に収納される。突出接点端子部２１１ｂは、クッション性を持ち、火災報知器の接点端子部１１２ｂと確実に接触するようになっている。突出接点端子部２１１ｂは、接点式充電器２１の内部に設けられた充電器内二次電池に電気的に接続され、接点式充電感知器１１に電力を供給するための送電部として機能する。図３（ａ）、図４では、突出保持端子部２１１ａと突出接点端子部２１１ｂは開口部２１２の円周における同じ位置となっているが、円周方向の異なる位置となるようにして、さらに接触し難い構造としてもよい。
【００３４】
＜接点式充電器の取付け＞
接点式充電器２１を接点式充電感知器１１に取り付ける際には、接点式充電感知器１１の位置に接点式充電器２１の開口部２１２を下方から合わせる。そして、接点式充電感知器１１を押し上げることにより接点式充電感知器１１を接点式充電器２１で取り囲む。その際、接点式充電器２１における開口部２１２の側面の上下方向における中程から突出しているトリガー（図示せず）が接点式充電感知器１１の側面に触れて作動する。このトリガーの作動により、図３（ａ），図４のように接点式充電器２１における開口部２１２の上方側面から、突出保持端子部２１１ａと突出接点端子部２１１ｂが突出し、接点式充電感知器１１の凹部１１１に張り出す。そして接点式充電器２１に複数設けられた突出保持端子部２１１ａが接点式充電感知器１１の保持端子部１１２ａの上に乗り、図３（ａ）の状態で接点式充電器２１が保持される。突出保持端子部２１１ａは接点式充電感知器１１の保持端子部１１２ａの上面に接触して接点式充電器２１を支えると同時に通電する。また、突出接点端子部２１１ｂは、接点式充電感知器１１の接点端子部１１２ｂに接触し通電する。予め充電された充電器内二次電池により、保持端子部１１２ａと接点端子部１１２ｂを介して送電され、接点式充電感知器１１内の二次電池の充電が開始される。
【００３５】
＜充電中＞
接点式充電感知器１１内の二次電池が充電中になると、接点式充電感知器１１の下部に設けられた充電ランプ１１４が点灯し、充電中であることを作業者に知らせる。作業者は、充電ランプ１１４の点灯により充電が正常に行われていることを確認し、別の接点式充電感知器１１への接点式充電器２１の取付け作業等に移ることができる。接点式充電器２１は、接点式充電感知器１１の下面にある感知センサー部１１５を塞がず、充電中に接点式充電感知器１１を作動させることができる。このため、接点式充電感知器１１は充電中であっても火災を感知することができる。充電が終わると、充電ランプ１１４は充電終了を示す別の色に点灯し、作業者に充電が終了したことを知らせる。
【００３６】
＜取り外し＞
接点式充電器２１の回収の際は、下方から接点式充電器２１を押し上げることで、突出保持端子部２１１ａと突出接点端子部２１１ｂが開口部２１２の内部に収納される機構（図示せず）により、接点式充電器２１を取り外すことができる。実施例１において、接点式充電感知器１１の凹部１１１、保持端子部１１２ａ、支持部１１３は係止部を、接点式充電器２１の突出保持端子部２１１ａは係止機構を構成する。
【実施例２】
【００３７】
実施例２は無接点式による充電を行う火災感知器と充電器である。図５は、実施例２の無接点式充電感知器１２に無接点式充電器２２を取り付けた状態を示し、無接点式充電感知器１２に無接点式充電器２２を取り付けた状態で、火災感知器の中心を通るように切断した側方断面図である。下方から見た形状は、図３（ｂ）と同様である。無接点式充電器２２は実施例１の接点式充電器２１と同様に環状であり無接点式充電感知器１２を取り囲む形状をしている。
【００３８】
＜無接点式充電感知器＞
図５において、１２は無接点式で充電される火災感知器１である無接点式充電感知器、１２１は凹部、１２２は二次電池、１２３は受電コイル、１２４は支持部、１２５は充電ランプ、１２６は感知センサー部である。天井５に下方から据え付けられた無接点式充電感知器１２には、天井５に近い部分の周囲に環状に凹部１２１が設けられ、凹部１２１の下面は支持部１２４となっている。支持部１２４は、無接点式充電感知器１２に無接点式充電器２２が取り付けられた際に無接点式充電器２２を保持するために支える。
【００３９】
無接点式充電感知器１２において、凹部１２１より下の内部には受電コイル１２３が、無接点式充電感知器１２の側面板内部に沿って、無接点式充電感知器１２における回路や二次電池１２２等の内部装置を囲むように配置されている。そのため、無接点式充電器２２が取り付けられた際の側方の向きにかかわらず受電がなされる。無接点式充電感知器１２は、内部に二次電池１２２と充電回路（図示せず）を備え、受電コイル１２３により電力を受取り、充電回路により二次電池１２２を充電する。受電コイル１２３と充電回路は、外部から電力を取り入れて二次電池１２２を充電する充電部を構成する。無接点式充電感知器１２の底部の中心付近には、火災を感知するための感知センサー部１２６が配置されている。また、無接点式充電感知器１２の下部の中心から外れた部分に、下方の作業者から確認できるように、充電ランプ１２５が配置されている。受電コイル１２３の軸方向は、図５のように取付け時の上下方向でも良いが、無接点式充電感知器１２の側面板内部に、取付け時の側方を軸方向としたコイルを複数設けても良い。
【００４０】
＜無接点式充電器＞
図５において、２２は無接点式充電器、２２１は送電コイル、２２２は開口部、２２３は突出保持部、２２４は充電器内二次電池２２４である。無接点式充電器２２は、中央の部分に開口部２２２を有したドーナツ形状をしている。開口部２２２の直径は無接点式充電感知器１２の直径よりも大きく、無接点式充電器２２が取り付けられた際に無接点式充電感知器１２を開口部２２２の内部に収容する。そして、無接点式充電器２２が取り付けられた状態で無接点式充電感知器１２の感知センサー部１２６が火災を感知できる程度に露出するように、無接点式充電器２２の厚さが設計されている。
【００４１】
突出保持部２２３は、無接点式充電器２２の開口部２２２の上方内側面に設けられている。突出保持部２２３は、無接点式充電器２２の内部に収納されているが、無接点式充電器２２が無接点式充電感知器１２に取り付けられた際に開口部２２２の内方に突出して無接点式充電感知器１２の凹部１２１の下部にある支持部１２４に係止される。突出保持部２２３は、無接点式充電感知器１２を取り囲むように複数個備えられており、無接点式充電器２２を保持できる強度を有している。そして、無接点式充電器２２を取り外す際には無接点式充電器２２の内部に収納され保持を開放する。凹部１２１、支持部１２４は無接点式充電器２２の取付部を構成する。
【００４２】
無接点式充電器２２には、開口部２２２側の内側板の無接点式充電器２２内部に送電コイル２２１が配置されている。送電コイル２２１は、無接点式充電感知器１２内の受電コイル１２３と向かい合わせになって、電力を受電コイル１２３に伝送する。また、無接点式充電器２２内部には充電器内二次電池２２４と充電部（図示せず）が内蔵されており、送電コイル２２１に電気を供給する。充電部と送電コイル２２１は送電部を構成する。送電コイル２２１の軸方向は無接点式充電感知器１２の受電コイル１２３の軸方向と同様にすればよく、図５のように取付け時の上下方向でも良いが、無接点式充電器２２の内部に、取付け時の側方を軸方向とした送電コイルを複数設けても良い。その場合には、無接点式充電感知器１２の受電コイルも同様に、取付け時の側方を軸方向として複数設ける。
【００４３】
＜無接点式充電器の取付け＞
無接点式充電器２２を無接点式充電感知器１２に取り付ける際には、無接点式充電感知器１２の位置に無接点式充電器２２の開口部２２２を下方から合わせる。そして、無接点式充電器２２を押し上げることにより無接点式充電感知器１２を無接点式充電器２２で取り囲む。その際、無接点式充電器２２における開口部２２２の側面の上下方向における中程から突出しているトリガー（図示せず）が無接点式充電感知器１２の側面に触れて作動する。このトリガーの作動により、図５のように無接点式充電器２２における開口部２２２の上方側面から、突出保持部２２３が突出し、無接点式充電感知器１２の凹部１２１に張り出す。そして無接点式充電器２２の複数ある突出保持部２２３が無接点式充電感知器１２の支持部１２４の上に乗り、図５のように無接点式充電器２２が保持される。同時に、充電器内二次電池２２４から充電部を介して送電コイル２２１に電流が流れ、電力を無接点式充電感知器１２内の受電コイル１２３に伝え、無接点式充電感知器１２内の二次電池１２２の充電が開始される。なお、充電器内二次電池２２４は、予め充電されている。
【００４４】
実施例２では、無接点式充電感知器１２では内部装置を囲んで受電コイル１２３が設けられ、無接点式充電器２２では開口部２２２側の内側板の無接点式充電器２２内部に送電コイル２２１が配置されている。そのため、無接点式充電器２２が側方のどの方向を向いていても無接点式充電感知器１２に取り付けられ際に送受電を行うことができる。
【００４５】
＜充電中＞
無接点式充電感知器１２内の二次電池１２２が充電中になると、無接点式充電感知器１２の下部に設けられた充電ランプ１２５が点灯し、充電中であることを作業者に知らせる。作業者は、充電ランプ１２５の点灯により充電が正常に行われていることを確認し、別の無接点式充電感知器１２への無接点式充電器２２の取付け作業等に移ることができる。無接点式充電器２２は、無接点式充電感知器１２の下面にある感知センサー部１２６を塞がず、充電中に無接点式充電感知器１２を作動させることができる。このため、無接点式充電感知器１２は充電中であっても火災を感知することができる。充電が終わると、充電ランプ１２５は充電終了を示す別の色に点灯し、作業者に充電が終了したことを知らせる。
【００４６】
＜取り外し＞
無接点式充電器２２の回収の際は、下方から無接点式充電器２２を押し上げることで、突出保持が開口部２２２の内部に収納される機構（図示せず）により、無接点式充電器２２を取り外すことができる。実施例２において、無接点式充電感知器１２の凹部１２１、支持部１２４は係止部を、無接点式充電器２２の突出保持部２２３は係止機構を構成する。
【００４７】
実施例１，２においては、充電中には接点式充電感知器１１の充電ランプ１１４、無接点式充電感知器１２の充電ランプ１２５が点灯する。しかし、接点式充電器２１や無接点式充電感知器１２に取付け用のランプを設けて、全ての突出保持端子部２１１ａ、突出保持部２２３が突出したときに発光するようにして、取付けが確実に行われるようにしてもよい。また、接点式充電感知器１１や無接点式充電感知器１２等の火災感知器１は、煙感知器でもよく、熱感知器等の他の火災感知器でもよい。
【００４８】
なお、全ての実施例において、無線式の自動火災報知設備に用いられ火災受信機と通信する無線式の火災感知器を例に挙げて説明したが、二次電池によって電源供給される無線式火災感知器以外の端末機器にも本発明を適用することができる。端末機器としては、例えば、無線式の自動火災報知設備に用いられ火災受信機と無線式の火災感知器との間で通信を中継する無線式の中継器（リピータ）や、無線式の住宅用火災警報器、さらには無線式以外の火災感知器等の端末機器などである。
【００４９】
上記の実施例１，２における接点式充電感知器１１，無接点式充電感知器１２は、感知センサー部１１５，１２６が下方に設けられている。そして、接点式充電感知器１１，無接点式充電感知器１２に充電器２が取り付けられた際に、感知センサー部１１５，１２６は充電器２の下方に露出して火災の監視を継続する。しかし、煙を取り込む感知センサー部が天井５に近い場所に設計された煙感知器を充電する場合、煙の取り込みが十分に行われるように充電器の形状等を変えて、充電時に火災の監視を継続できるようにすることができる。例えば、充電器の上方に３つ以上の脚を設けて、充電器を取り付けた際に感知センサー部が充電器によって塞がれないようにし、火災の際に脚の間から煙を感知センサー部に取り込まれるようにしてもよい。その場合には、煙感知器の下面に受電コイルを設けると共に受電コイルに対向する位置に充電器の送電コイルを設けるなど、煙感知器の下面で送受電を行うようにしてもよい。
【符号の説明】
【００５０】
１  火災感知器、１１  接点式充電感知器、１１１  凹部、１１２ａ  保持端子部、１１２ｂ  接点端子部、１１３  支持部、１１４  充電ランプ、１１５  感知センサー部、１２  無接点式充電感知器、１２１  凹部、１２２  二次電池、１２３  受電コイル、１２４  支持部、１２５  充電ランプ、１２６  感知センサー部
２  充電器、２１  接点式充電器、２１１ａ  突出保持端子部、２１１ｂ  突出接点端子部、２１２  開口部、２２  無接点式充電器、２２１  送電コイル、２２２  開口部、２２３  突出保持部、２２４  充電器内二次電池
３  棹型設置装置、３１  充電器スタックケース、３２  棹
４  マルチコプター型設置装置、４１  充電器スタックケース、４２  回転翼、４３  接続部
５  天井
【図１】
2018106319.tif 000003
【図２】
2018106319.tif 000004
【図３】
2018106319.tif 000005
【図４】
2018106319.tif 000006
【図５】
2018106319.tif 000007